【手続補正書】
【提出日】平成25年4月17日(2013.4.17)
【手続補正１】
【補正対象書類名】特許請求の範囲
【補正対象項目名】全文
【補正方法】変更
【補正の内容】
【特許請求の範囲】
【請求項１】
着用者の眼のための眼鏡レンズを決定する方法であって、
両眼視の着用者について、当該着用者の一方の眼の回転中心の三次元座標を測定する、片眼回転中心三次元座標測定ステップ（１０）と、
自然な姿勢における少なくとも１つの凝視方向を測定する、凝視方向測定ステップ（１５）と、
前記眼鏡レンズの所望の位置を決定する、位置決定ステップ（２０）と、
眼の回転の中心について測定された座標、決定されたレンズの位置、および、自然な姿勢において測定された前記少なくとも１つの凝視方向を使用することによって、前記眼鏡レンズの特性を計算する、特性計算ステップとを備えた、眼鏡レンズの決定方法。
【請求項２】
請求項１において、前記計算ステップが、
前記位置決定ステップで決定された位置に、出発の眼鏡レンズを配置するステップ（３０）と、
前記出発の眼鏡レンズを波面解析によって修正するステップ（４０）とを備えた、眼鏡レンズの決定方法。
【請求項３】
請求項１において、前記計算ステップが、
前記位置決定ステップで決定された位置に、出発の眼鏡レンズを位置決めするステップと、
前記出発の眼鏡レンズから出発し、前記三次元座標測定ステップで測定された座標および前記位置決定ステップで決定された位置に依存した光線追跡法を使用して、最適化を行うステップとを備えた、眼鏡レンズの決定方法。
【請求項４】
請求項１から３のいずれか一項において、さらに、
前記両眼視の着用者について、前記眼の回転中心に対する前記眼の瞳孔の位置を測定する、瞳孔位置測定ステップを備え、
前記計算ステップが、前記瞳孔位置測定ステップで測定された瞳孔の位置を使用する、眼鏡レンズの決定方法。
【請求項５】
請求項１から４のいずれか一項において、前記計算ステップが、前記着用者の頭部を基礎とする基準座標系、眼鏡フレームを基礎とする基準座標系、および前記着用者の眼を基礎とする基準座標系のうちのいずれか１つまたは任意の組合せの基準座標系において実行される、眼鏡レンズの決定方法。
【請求項６】
請求項１から４のいずれか一項において、さらに、
前記両眼視の着用者について、前記着用者の両方の眼の回転中心の三次元座標をそれぞれ測定する、両眼回転中心三次元座標測定ステップを備え、
前記計算ステップが、前記着用者の両方の眼の回転中心の三次元座標を基礎とする基準座標系において行われる、眼鏡レンズの決定方法。
【請求項７】
請求項１から６のいずれか一項において、前記片眼回転中心三次元座標測定ステップが、前記着用者の自然な姿勢の状態のもとで実行される、眼鏡レンズの決定方法。
【請求項８】
請求項１から７のいずれか一項において、前記眼の前記回転中心が、光学的な回転中心である、眼鏡レンズの決定方法。
【請求項９】
請求項１から８のいずれか一項において、前記凝視方向測定ステップで測定される、自然な姿勢における少なくとも１つの凝視方向が、主たる凝視方向である、眼鏡レンズの決定方法。
【請求項１０】
請求項９において、前記凝視方向測定ステップでは、前記レンズから前記眼の回転中心までの距離が、前記主たる凝視方向の前記レンズの後面との交点と前記眼の回転中心との間の距離に関連して、測定され、当該測定された距離が、前記計算ステップにおける計算に使用される、眼鏡レンズの決定方法。
【請求項１１】
請求項１から１０のいずれか一項において、前記凝視方向測定ステップで測定された自然な姿勢における前記少なくとも１つの凝視方向は、前記着用者が近方視の状態で見るときの凝視方向である、眼鏡レンズの決定方法。
【請求項１２】
請求項１から１０のいずれか一項において、いくつかの凝視方向が、自然な姿勢において測定される、眼鏡レンズの決定方法。
【請求項１３】
請求項１から１２のいずれか一項において、前記凝視方向測定ステップでは、前記レンズの向きおよびレンズの位置が測定され、前記レンズの当該測定された向きおよび位置が、前記計算ステップにおいる計算に使用される、眼鏡レンズの決定方法。
【請求項１４】
着用者のための眼鏡レンズおよび着用者が選択した眼鏡フレームの取付けおよびトリミングのいずれか一方または両方のパラメータを計算する方法であって、
請求項１から１３のいずれか一項に記載の眼鏡レンズ決定方法に従って眼鏡レンズを決定する、眼鏡レンズ決定ステップと、
前記測定ステップおよび前記決定ステップにおいて使用された基準座標系における前記眼鏡フレームの位置を測定する、前記眼鏡フレーム位置測定ステップと、
当該基準座標系における前記レンズおよび前記眼鏡フレームの位置に従って、前記眼鏡レンズの取付けおよびトリミングのいずれか一方または両方のパラメータを計算する、パラメータ計算ステップとを備えた、パラメータ計算方法。
【請求項１５】
眼鏡レンズを通して着用者が視認する像をシミュレートする方法であって、
両眼視の着用者について、当該着用者の一方の眼の回転中心の三次元座標を測定する、片眼回転中心三次元座標測定ステップと、
自然な姿勢における少なくとも１つの凝視方向を測定する、凝視方向測定ステップと、
前記レンズを位置決めする、位置決めステップとを備え、
前記測定片眼回転中心三次元座標測定ステップ、前記凝視方向測定ステップおよび前記位置決めステップが、同一の基準座標系において実行されるか、または同一の基準座標系に変換され、さらに、
前記眼の回転中心の前記測定された位置、自然な姿勢において測定された前記凝視方向、および前記レンズの位置を考慮し、光線追跡法を使用して、前記着用者が視認する像を計算する、像計算ステップを備えた、シミュレーション方法。
【請求項１６】
請求項１５において、さらに、
前記基準座標系において、前記眼の瞳孔の位置を測定する、瞳孔位置測定ステップを備え、
前記計算ステップが、前記瞳孔位置測定ステップで測定された瞳孔の位置を使用する、シミュレーション方法。
【請求項１７】
眼鏡レンズを製造する方法であって、
第１の場所において、両眼視の着用者について、当該着用者の一方の眼の回転中心の三次元座標と、当該着用者が選択した眼鏡フレームの位置とを、同一の基準座標系で測定する、片眼回転中心三次元座標および眼鏡フレーム位置の測定ステップと、
自然な姿勢における少なくとも１つの凝視方向を測定する、凝視方向測定ステップと、
前記片眼回転中心三次元座標および眼鏡フレーム位置の測定ステップで測定された、前記三次元座標および前記位置を、第２の場所に転送する、転送ステップと、
前記第２の場所において、前記測定された座標および位置を用いた計算によって、前記レンズを決定する、レンズ決定ステップと、
前記レンズ決定ステップで決定された前記レンズを製造する、製造ステップとを備えた、眼鏡レンズの製造方法。
【請求項１８】
請求項１７において、さらに、
前記第１の場所において、前記着用者の自然な姿勢を前記基準座標系で表わす角度を測定する、角度測定ステップを備え、
前記転送ステップは、前記角度測定ステップで測定された姿勢の角度を転送し、
前記レンズ決定ステップは、前記角度測定ステップで測定された姿勢の角度を使用する、眼鏡レンズの製造方法。
【請求項１９】
請求項１７または１８において、さらに、
前記レンズ決定ステップで使用される前記基準座標系における前記眼鏡フレームの前記位置を測定する、眼鏡フレーム位置測定ステップと、
前記基準座標系における前記レンズおよび前記眼鏡フレームの位置と関連して、前記眼鏡レンズのトリミングのパラメータを計算する、トリミングパラメータ計算ステップと、
レンズをトリミングする、トリミングステップとを備えた、眼鏡レンズの製造方法。
【請求項２０】
着用者が眼鏡レンズを通して視認する像のシミュレータであって、
請求項１５または１６に記載のシミュレーション方法を実行する計算手段と、
前記計算手段によって計算された像を表示する手段とを備えた、シミュレータ。
【請求項２１】
コンピュータ上で実行されると、請求項１から１３のいずれか一項に記載の方法のステップを実行する、プログラム手段を備えた、コンピュータプログラム。
【請求項２２】
コンピュータ上で実行されると、請求項１５または１６に記載の方法のステップを実行する、プログラム手段を備えた、コンピュータプログラム。
【請求項２３】
請求項１において、前記計算ステップでは、前記眼鏡レンズの前記特性が、所与の凝視方向について測定された前記眼の前記回転中心を通過する中央光線との衝突点における前記眼鏡レンズの局所修正によって計算されることを特徴とする、眼鏡レンズの決定方法。